(57)【特許請求の範囲】
【請求項１】
装置品の装置部材（ａ）の基端側に、後端面に該装置部材（ａ）の長手方向に沿う開裂状の開放口（１０）を開口させて、断面あり溝状の形状で前記長手方向に連続するよう形設される取付部（１）と、その取付部（１）内に挿入しておく組付用の座板（２）と、その組付用の座板（２）に開設したボルト挿通口（２１）に挿通して螺子部（３１）を前記取付部（１）の後面の開裂状の開放口（１０）から突出させておく頭部（３０）付きの締付ボルト（３）と、その締付ボルト（３）の螺子部（３１）に螺合して組付用座板（２）を取付材（ｂ）に対し締結する締付ナット（４）と、からなる建築構造物の装置部材取付用の取付金具（ｃ）において、組付用の座板（２）を、上下の高さ寸法が前記取付部（１）の後面の開裂状の開放口（１０）の開口巾（Ｋ）の寸法より巾広で、左右の巾寸法が前記取付部（１）の内部の上下高さ（ｈ）に略対応し、前後の厚さ寸法が前記取付部（１）後面の開放口（１０）の開口巾（Ｋ）より小さい、左右に長い略長矩形の角板に形成し、この組付用の座板（２）に開設するボルト挿通口（２１）を、中心点が、組付用の座板（２）の後面視において二組の対角をそれぞれ結ぶ二本の仮想対角線の交点付近に位置し、口径の左右の巾が、ボルト挿通口（２１）に嵌挿する締付ボルト（３）の螺子部（３１）の外径に略対応し、口径の上下の巾が組付用の座板（２）の、左右方向に沿う底辺及び上辺に対しクロスする垂直な方向に拡巾した上下方向の長穴状に形成し、締付ボルト（３）を挿通した状態の組付用の座板（２）の取付部（１）内への挿入が、取付部（１）後面の開放口（１０）から行えるようにしたことを特徴とする建築構造物における装置部材取付用の取付金具。
【請求項２】
頭部（３０）付きの締付ボルト（３）は、頭部（３０）を左右に長いブロック状に形成して螺子部（３１）とあわせた全体がＴ字状をなす形状に構成し、その頭部（３０）の螺子部（３１）に向かう後面側を、側面視において、凸の弧面に突出する突起部（Ｔ）に形成し、左右に長い略長矩形状に形成した組付用の座板（２）には、前面側に、ボルト挿通口（２１）の周辺部位に、側面視において、底面が前記締付ボルト（３）の頭部（３０）の後面側に形成せる凸の弧面の突起部（Ｔ）に対応して後面側に向け円弧状に刳り込む凹溝（ｗ）を、該座板（２）の左右方向に連続させて形設しておくことを特徴とする請求項１記載の建築構造物における装置部材取付用の取付金具。
【発明の詳細な説明】
【技術分野】
【０００１】
本発明は、アルミ合金等の金属材で成形して、建築構造物の外側または内側に装置せしめるルーバー材・てすり材・笠木材等の装置部材を、取付材に対して取付けるための、座板とそれに嵌挿する締付ボルトとその締付ボルトを締結する締付ナットとからなる建築構造物における装置部材取付用の取付金具についての改良に関する。
【背景技術】
【０００２】
金属材で成形して、建築構造物の外側または内側に装置せしめるルーバー材・てすり材・笠木材等の装置部材の取付けは、その装置部材ａの基端側に、図１・図２にあるように、あり溝状の断面形状をもって長手方向に連続する取付部１を、アルミ合金等の金属材の押出成形により装置部材ａを成形する際に一体に連続させた構造として形設しておき、この取付部１内に、角板状の座板２を、それに頭部３０付きの締付ボルト３の頭部側が嵌挿された状態として挿入して、嵌挿した締付ボルト３の螺子部３１が、前記断面あり溝状の取付部１の外部に対する開放口１０から突出する状態とし、この突出させた締付ボルト３の螺子部３１を予め所定の個所に配位して設置しておく取付材ｂの取付板部５０に開設したボルト挿通穴５１に挿通し、この締付ボルト３の螺子部３１に締付ナット４を螺合して締め付けることで、座板２と取付材ｂとであり溝状の取付部１のの後壁１１を挟み込むように締結することにより行っている。
【０００３】
この、装置部材ａを、取付材ｂに組み付けセットするための、座板２と締付ボルト３と締付ナット４とからなる装置部材取付用の取付金具ｃは、通常、図３にあるように、ステンレス板などの金属板から形成される上下の高さ寸法Ｈが、装置部材ａの基端側に形設した取付部１の後端面に開設した開裂状の開放口１０の上下の開口巾Ｋより広い寸法で、左右方向の巾寸法Ｄが、前記取付部１の内腔の上下高さｈに略対応する寸法となる後面視において左右に横長の略長方形乃至矩形をなす寸法形状に形成した座板２と、それの中央部位に開設したボルト挿通口２１に挿通する頭部３０付きの締付ボルト３と、この締付ボルト３の螺子部３１に図２・図４にあるように螺合する締付ナット４とにより構成される。
【０００４】
そして、この取付金具ｃを用いて行う装置部材ａの取付材ｂへの組み付けは、取付金具ｃの角形の座板２を、装置部材ａの取付部１内に挿入して、その取付部１の後壁１１の内面に接合するよう位置させ、この座板２に予め挿通しておく頭部３０付きの締付ボルト３の螺子部３１を、装置部材ａの取付部１の後壁１１に形設してある開放口１０から後方に突出させ、この螺子部３１を、取付材ｂの取付板部５０に形設しておくボルト挿通穴５１に通して、その取付板部５０の後面側に突き出し、この螺子部３１に締付ナット４を螺合して締め付けることで、図４にあるように、装置部材ａの、開放口１０の上下に位置する後壁１１・１１を座板２と取付材ｂの取付板部５０とで挟持して固定装着せしめることで行なわれる。
【０００５】
この取付金具ｃには、座板２を、図６の左半側に示しているように、上下の高さ寸法Ｈを、装置部材ａの取付部１の開放口１０の開口巾より狭くし、左右の巾寸法Ｄを、装置部材ａの後端部の内腔の上下高さに略対応する寸法とした細巾の帯板状に形成しておき、この細巾の帯状の座板２を横長の姿勢として開放口１０から装置部材ａ内に挿入し、挿入したところで、嵌挿しておいた締付ボルト３による回動により、座板２を図６の右半側に示しているように、開放口１０に対しクロスする縦長の姿勢に変換せしめて、締付ボルト３による締結を行うようにする形態のものがある。この形態のものは、座板２が細巾なことで取付部１の後壁１１との接触面積が小さく、締付の際に充分な強度が得られないことと、締め付けの際、または、締め付けにより組み付けた装置部材ａが使用中に受ける風による振動により座板２が装置部材ａに対して回動して開放口１０と平行する姿勢となったときに、開放口１０から飛び出すようになって装置部材ａの組付を不確実なものとする問題を生ぜしめている。このことから座板２は、通常、開放口１０の開口巾より上下に広巾の角板状に形成している。
【０００６】
この開放口１０の開口巾より上下に巾広の角板状に形成した取付金具ｃの座板２の装置部材ａの取付部１内への挿入は、この座板２のボルト挿通口２１に対する締付ボルト３の挿通が、座板２だけを装置部材ａの取付部１の内腔に挿入した状態では、その座板２の前面側から締付ボルト３を挿通することが困難なことから、座板２には、それのボルト挿通口２１に締付ボルト３の頭部３０側を挿通しておき、この状態の座板２を、装置部材ａの長手方向の端部のこぐちから、座板２とそれに嵌挿した締付ボルト３の頭部３０側とを、嵌め込むようにして挿入することで行っている。
【０００７】
これは、締付ボルト３を挿通した状態の座板２の装置部材ａ内への挿入を、図５にあるように、座板２の姿勢を傾斜させることで、装置部材ａの取付部１の後面の開裂状の開放口１０から挿入していくと、座板２に挿通した締付ボルト３の螺子部３１及び座板２が取付部１の開放口１０の上下の口縁に干渉して支えてくることで、挿入できないことから、この締付ボルト３を挿通した座板２の装置部材ａの取付部１内への挿入を、取付部１のこぐちから行うようにしていることによる。
【０００８】
装置部材ａは、通常、１．８〜２．７ｍ程度の長尺物に作られ、これを取付金具ｃにより組み付け固定するための取付材ｂは、５０〜６０ｃｍの間隔において、施工現場に多数本並列設置される。装置部材ａを取付材ｂに組み付けて、組み立て施工されるルーバー材・てすり・笠木等の装置品は、通常、一本の装置部材ａの長さより遙かに長く、装置部材ａは複数本継ぎ足して組み付けられる。
【０００９】
このことから、装置部材ａを並列する取付材ｂに対して座板２と締付ボルト３と締付ナット４からなる取付金具ｃを用いて組み付けていくとき、装置部材ａの取付部１の一方のこぐちから挿入した取付金具ｃの座板２は、先にこぐちに近い取付材ｂに対し組み付けると、次にこぐちから挿入する取付金具ｃの座板２を、次位の取付材ｂと対応する位置までスライドさせることができなくなるので、この装置部材ａの取付部１のこぐちからその取付部１内に挿入する取付金具ｃの座板２は、装置部材ａを取付金具ｃにより取付材ｂに組み付ける作業を行う前に、並列する取付材ｂのそれぞれと対応する位置の全てに、もれなく配位させておかなければならない。しかも、各取付材ｂに対応させて装置部材ａの取付部１内に用意した取付金具ｃの締付ボルト３を挿通した座板２は、それが取付部１内を取付材ｂと対応する位置から動いていても、組み付けるべき取付材ｂと対応する位置に戻すよう動かし、組み付ける取付材ｂを正しく選択して組み付けなければならない。組み付けるべき取付材ｂを誤ったときは、それにより遊びの状態となった取付金具ｃの座板２を、組み付けた取付金具ｃを飛び越して他の取付材ｂと対応する位置に動かすことができないことで、組み付けた取付金具ｃの組み付けを、ほどいて、やりなおさなければならないからである。このことから、この座板２と締付ボルト３と締付ナット４からなる取付金具ｃを用いての装置部材ａの取付材ｂへの組み付けには、その作業を厄介なものとしている問題がある。
【発明の開示】
【発明が解決しようとする課題】
【００１０】
本発明において解決しようとする課題は、装置部材ａの取付部１内に挿入しておく座板２とこれに挿通しておく締付ボルト３とこれに螺合する締付ナット４とからなる取付金具ｃを用いて、装置部材ａを施工現場に配設せる取付材ｂに組み付けていく際に生じていた厄介な問題を解消せしめる手段を提供することにある。
【課題を解決するための手段】
【００１１】
上述の課題を解決する本発明手段は、種々の試行錯誤を重ねて得られた知見に基づいて成されたものである。
【００１２】
取付金具ｃの座板２は、締付ボルト３により締め付けたときに、装置部材ａの取付部１後面の開放口１０から逸出しないようにするため、上下方向の高さ寸法を、装置部材ａの取付部１の後壁１１に開設してある開放口１０の上下方向の開口巾の寸法よりも大きく形成しなければならないが、前後の厚さ寸法は、締付ボルト３による締付の際に充分の強度のものであれば足り、前記取付部１の後面の開放口１０の上下の開口巾の寸法より小さい、通常の座板の厚さ寸法にしてよいものである。
【００１３】
このように形成した座板２は、それに挿通した締付ボルト３が装置部材ａの後端部の開放口１０の上下の口縁に干渉して支えることさえなければ、斜めの姿勢として、装置部材ａ後端部の開放口１０から挿入し、開放口１０をくぐり抜けて、装置部材ａの取付部１内への挿入が終えたところで、座板２の姿勢を立てた姿勢に戻すことで、この取付部１の後面の開放口１０からの取付部１内への挿入が可能である。
【００１４】
そして、座板２を斜めの姿勢としたときに締付ボルト３が取付部１の後面の開放口１０の口縁に支えるようになることについては、座板２に挿通した締付ボルト３を、座板２に対し上下方向の傾斜回動が自在になるようにしておけば、座板２を斜めの姿勢にして取付部１の後面の開放口１０から取付部１内に挿入していくときに、締付ボルト３を座板２の後面に沿う傾斜した姿勢となるように座板２に対し回動させることで、この締結ボルト３が取付部１の開放口１０の口縁に支える干渉がなくなって、座板２を取付部１後面の開放口１０から取付部１内に挿入していけるようになるという知見が得られたこと、そして、このように締付ボルト３を座板２に対し回動自在とするには、締付ボルト３と座板２のボルト挿通口２１との嵌合部分をボールジョイント状に構成するなどの種々の手段はあるが、締付ボルト３の座板２に対する回動は、上下方向の回動だけでもよく、この上下の回動が得られるようにするには、ボルト挿通口２１を、上下方向に長い長穴状に形成しておくことで足りるという知見が得たことによるものである。
【００１５】
このことから、本発明においては、上述の課題を解決するための手段として、角板状の座板２と、その座板２に設けたボルト挿通口２１に嵌挿する頭部３０付きの締付ボルト３と、その締付ボルト３の螺子部３１に螺合する締付ナット４と、からなるルーバー取付用の取付金具ｃにおいて、座板２に形設するボルト挿通口２１を、中心点が、角板状の座板２の後面視において二組の対角をそれぞれ結ぶ二本の仮想対角線の交点付近に位置し、口径の左右の巾が、ボルト挿通口２１に嵌挿する締付ボルト３の螺子部３１の外径に略対応し、口径の上下の巾が、座板２の底辺及び上辺に対し垂直な方向に拡巾した、上下方向の長穴状に形成したことを特徴とする建築構造物における装置部材取付用の取付金具を提起するものである。
また、これに併せて、座板２に、後面視において上下方向の長穴状に形設する締付ボルト挿通用のボルト挿通口２１を、そのボルト挿通口２１の口径の上下の巾が、座板２の前面側に寄る部位において小さく、座板２の後面側に寄るに従い上下に拡巾する形状の長穴状に形設しておくことを特徴とする請求項１記載の建築構造物における装置部材取付用の取付金具を提起するものである。
さらに、締付ボルト３の頭部３０の、後面側を、側面視において、円弧状に突出する突起部Ｔに形成し、座板２の前面側で、ボルト挿通口２１の周辺部位に、締付ボルト３の上下の傾斜回動時における頭部３０後面の回動軌跡に略沿う側面視で凹面状の凹溝ｗを形設しておくことを特徴とする請求項１記載の建築構造物における装置部材取付用の取付金具を提起するものである。
【発明の効果】
【００１６】
本発明手段による装置部材取付用の取付金具は、座板２のボルト挿通口２１に嵌挿した締付ボルト３が、ボルト挿通口２１を上下方向に長い長穴状に形成したことで、座板２に対し上下方向の傾斜回動を自在にしてあるのだから、座板２を、それに締付ボルト３を嵌挿した状態で、装置部材ａの取付部１内に挿入せしめるときに、締付ボルト３を座板２に対し傾斜回動させて、座板２の後面に略沿う姿勢にし、その状態で、座板２を装置部材ａの取付部１後面の開放口１０に対し斜めに寝かせた姿勢として、その開放口１０から挿入していくことで、装置部材ａの取付部１内に挿入し得るようになる。
【００１７】
これにより、取付金具ｃの座板２は、締付ボルト３を嵌挿した状態として、既に装入して組み付けた取付金具ｃの制約を受けることなく、装置部材ａの取付部１の後面の開放口１０の長手方向における所望の場所から、随時取付部１内に装入できることになるので、座板２と締付ボルト３と締付ナット４からなる取付金具ｃによる装置部材ａの取付作業に生じていた諸々の問題を解消し得るようになる。
【発明を実施するための最良の形態】
【００１８】
次に本発明の実施の形態を、実施例につき図面に従い詳述する。
【実施例１】
【００１９】
図７乃至図１９は、本発明による装置部材取付用の取付金具の第１の実施例を示し、図７は同上取付金具で装置部材を取付材に組み付けている状態の側面図、図８は同上状態の縦断側面図、図９は同上取付金具の座板の後面図、図１０は同上の座板の前面図、図１１は同上の座板の左側面図、図１２は同上の座板の図１０におけるＸ−Ｘ線の縦断測面図、図１３は同上取付金具の締付ボルト及び締付ナットの側面図、図１４は同上取付金具の締付ボルト及び締付ナットの前面図、図１５は同上取付金具の締付ボルト及び締付ナットの平面図、図１６は同上取付金具の締付ボルトを嵌挿した座板を装置部材ａの後端部に設けた取付部に挿入した状態の後面図、同１７は同上取付金具の座板を締付ボルトの螺じ締め方向に回動させた状態の後面図、図１８は、同上取付金具の座板に嵌挿した締付ボルトを座板に対し上方に傾斜回動させた状態時の説明図、図１９は同上取付金具の座板に嵌挿した締付ボルトを座板に対し下方に傾斜回動させた状態時の説明図で、これら図において、ａは装置部材、ｂは取付材、１は装置部材ａの後端部に装設せる取付部、１０はその取付部１の後面側の開放口、１１は開放口１０を形成する取付部１の後壁、ｃは取付金具、２はその取付金具ｃの座板、２１はその座板２に設けたボルト挿通口、３はボルト挿通口２１に嵌挿する締付ボルト、３０は同上の頭部、３１は同上の螺子部、４は締付ナットを示す。
【００２０】
装置部材ａは、金属材で成形するルーバー材・てすり材・笠木材等の部材である。この例においては、アルミ合金等の金属材から押出し成形加工により形成した通常の金属製のルーバー材であり、全体を角筒状の角型に形成したタイプのもので、前後巾を１２０ミリ、上下厚さを４０ミリとした形態のものであって、後部には、取付金具ｃの座板２を、締付ボルト３の頭部３０側が挿通された状態として嵌挿し、締付ボルト３に螺合する締付ナット４の締結により装置部材ａを取付材ｂに取り付けるための取付部１が、装設してある。
【００２１】
取付部１は、後面側に開放口１０が開口する側断面においてあり溝状の形状をもって、長手方向である左右方向に連続する構造に構成してあり、その後面側の開放口１０は、それの上下の開口巾が２０ミリで、内部の底面から天井面までの高さｈが３７ミリに設定されている。
【００２２】
取付材ｂは、鋼板等の金属板から折曲加工により成形された通常のアングル鋼を用いたもので、これを所定の長さのものにして施工現場の所定の場所に立設したものである。
【００２３】
取付金具ｃは、ステンレス板等の金属板から角板状に成形する座板２と、それの中心部位に開設せるボルト挿通口２１に嵌挿する頭部３０付きの締付ボルト３と、その締付ボルト３の螺子部３１に螺合して締結する締付ナット４と、からなることについては、従前のものと変わりがないが、この例における取付金具ｃは、前述した寸法・形状に作られた装置部材ａの取付部１に適応するよう形成したものであり、それの座板２は、後面視において、上下の巾寸法が、取付部１の後面の開放口１０の上下の開口巾の２０ミリよりも巾広の２５ミリで、左右の横巾が、取付部１の内部の高さ寸法ｈに対応する３７ミリで、前後の厚さが前述の開放口１０の開口巾の２０ミリの２分の１より稍大きい１２．５ミリの角板状に形成してある。この座板２の寸法は、取付部１の後端面に形設せる開放口１０の上下の開口巾が１２ミリに設定してある構造の取付部１に用いる場合にあっては、上下の巾寸法は１６ミリとするよう変更される。
【００２４】
そして、この座板２は、左右の両端部が、後面視において、底辺に対し略４５度に傾いて平行する切断線をもって、それぞれ斜めに切断されて左右に横長の菱形に形成してあり、斜辺と斜辺との間の寸法を、左右の横巾寸法として、取付部１の内部の天井面と底面との間の内法寸法に対応する３７ミリとしてある。
【００２５】
この座板２を菱形とする左右の斜辺をなす側縁の傾斜方向は、後面視において、図９にあるように、左右の斜辺がそれぞれ右方に傾斜するように設定してあり、これにより、座板２に嵌挿した締付ボルト３を螺じ締めの方向に回動させたときに、これに追従して回転する座板２が、その座板２の左右の斜辺を取付部１内部の天井面と底面とに当接して、それ以後の座板２の回動を阻止し、取付部１に対し一体的に結合した状態となるようにしている。
【００２６】
角板状の座板２を、それの左右の側辺が傾斜する斜辺となる左右に横長の菱形に形成するのは、座板２をそれに嵌挿した締付ボルト３を、螺子の締め込み方向に回動させて座板２を前記方向に回動させることで、対向間隔が装置部材ａの後端部に装設した取付部１の内部の天井面から底面までの高さ寸法に略対応させてある左右の側辺を、それぞれ取付部１内の天井面と底面とに当接させ、これにより、座板２を取付部１内部に固定した状態とするときの、座板２の回動角度量を少なくして、固定した状態が速やかに得られるようにすることと、座板２を、それの左右の側辺が取付部１内の天井面と底面とにそれぞれ当接した固定状態とするよう回動させるときの座板２の回動作動を円滑なものとするために、従来、図３・図６において示しているよう座板２の側辺と上辺とのコーナー部分を、斜めに切断しておくか、弧状に面取りしておくことで生じていた、装置部材ａの後端部に装設の取付部１の後壁１１・１１の前面に当接する座板２の接触部位の面積に削減が生じないようにして締結・固着が強固に行われようにすることにある。この菱形に成形した座板２の辺縁のコーナー部分に、取り扱いの際の安全を図るため、接触部位の面積に削減を生ぜしめない程度に面取り加工を行うことは差し支えない。
【００２７】
座板２の左右の側辺を、装置部材ａの端部に設けた取付部１内部の天井面と底面とに当接させるために行う座板２の回動は、前述の図３にある従来例のもののように、側辺と上辺とのコーナー部分を、斜めに、または弧状に面取り加工した座板２にあっても、左右の側辺が水平な方向に沿う姿勢とするまで、略９０度回動させなければならないが、上述の左右の側辺を傾斜する斜辺とした本発明手段の実施例の座板にあっては、斜辺にした側辺の傾斜角度の分だけ既に座板を回動させていることになり、９０度からこの斜辺とした側辺の傾斜角度を差し引いた残りの角度分だけ座板２を回動させれば、側辺が取付部１内部の天井面・底面に平行して当接し、装置部材ａに対し固定した状態となるので、座板の回動角度量を少なくし、座板２を装置部材ａ内に固定状態とするまでの回動操作を早くする。
【００２８】
座板２は、左右の巾寸法を、装置部材ａの後端部の取付部１内部の底面から天井面までの高さ寸法に略対応する寸法に形成しておいて、取付部１内に挿入した状態で回動させることにより、左右の側辺を上辺及び底辺として装置部材ａ内腔の天井面と底面とに衝合する状態とし、この状態において、取付部１の後端部の上下の後壁１１・１１の前面に当接する部位を、締付面として機能させるものである。
【００２９】
従前の取付金具における座板は、図３にあるように、座板を９０度回転させるときの回転作動が、つかえを生ぜしめることなく行われるようにするのを、回転により、天井面・底面に対し、支えるようになる側辺の、中心線より回転方向前方の部分を、予め切除していることで、行うことから、締付面として機能する部分の面積を狭めているのに対し、この実施例の座板２は、回転により上辺及び下辺となる左右の側辺を、回転方向に傾斜する斜辺に形成して、この斜辺が、それの傾斜角度を９０度から差引いた角度分だけ座板２と共に回動したところで、水平な姿勢となってこの左右の側辺がそっくりそのまま取付部１の天井面および底面に衝合するようにしていることから、左右の側辺の一方において傾斜角度分だけ斜に切除した部分があっても、他方において傾斜角度分だけ付加されるようになって、この取付部１の後面の開放口１０を挟んで対向する上下の後壁１１・１１の前面側（内面側）に当接する左右の側辺の接触部分の面積に、削減が無く、従って、締結・固着を強固なものとする。
【００３０】
ところで、この座板２は、上下の両端面が、それの前縁から後縁に至る間を図１１にあるように弧面に形成してあり、これにより、締付ボルト３が嵌挿された状態の座板２を、前後に寝かせた姿勢として取付部１後面の開放口１０から取付部１内にくぐり込ませていくときに、座板２の上下の端面が開放口１０の上下の口縁に当接して干渉するようになるのを避けるようにしている。さらに、この座板２の上下の端面に形成する弧面は、前方に向かうに従い上下の弧面の間の距離を狭くする形状に形成してあって、これにより、座板２を取付部１の後面の開放口１０から取付部１内にくぐり込ませるときの操作・作業が、一層楽に行えるようにしている。
【００３１】
さらに、この実施例の座板２の前面側には、それの上下の中間部位に、後面側に向け円弧状に刳り込む凹溝ｗが左右方向に連続するよう形設してある。この円弧状の凹溝ｗは、座板２のボルト挿通口２１に嵌挿した締付ボルト３を、それの頭部３０の後面側が座板２の前面側に当接した状態において、座板２に対し上下方向に傾斜回動させるときの回動操作を円滑にするためのもので、座板２の前面側の左右の中央部位の、締付ボルト３の頭部３０の後面側が当接するようになる部位にだけ形設してあればよいものであるが、この例においては、座板２の上記部位に対するこの凹溝ｗの形設を容易にするため、座板２の左右の一端から他端に渡る間に連続する凹溝ｗとして形設してある。このことから、この凹溝ｗの、締付ボルト３の頭部３０の後面側と対面する部位から左右に外れる部位は、格別の機能のない遊びの部位となる。
【００３２】
この座板２に、締付ボルト３の挿通口として形設するボルト挿通口２１は、その締付ボルト３の外径に対応する巾で上下方向に長い長穴にするが、この例においては、図１２にあるように、座板２の前面側に寄る部位においては、上下の長さ寸法が狭く、座板２の後面側に寄るに従い、この上下の長さ寸法が大きくなる側面視においてコーン状の長穴に形成してあり、これにより、図１８、図１９に示しているように、締付ボルト３の上方への傾斜回動及び下方への傾斜回動が、長穴状のボルト挿通口２１の内部に、遊びの空間を生ぜしめることなく行われるようにしている。
【００３３】
この座板２のボルト挿通口２１に嵌挿する締付ボルト３は、図１３乃至図１５に示しているように、頭部３０が、後面側を前記座板２の前面側に形設した弧状の凹溝ｗの底面に対応する凸の弧面の突起部Ｔに形成した左右に長いブロック状をなす形状に形成してあって、これにより全体としてＴ字状をなす形状としてある。
【実施例２】
【００３４】
図２０乃至図２５は、別の実施例を示している。この例は、装置部材取付用の取付金具の座板を、角型の平板状とした例である。
【００３５】
この例の装置部材取付用の取付金具は、ステンレススチール等の金属材よりなる板材から角形に板どりして成形した座板２と、その座板２の中心部位に開設したボルト挿通口２１に嵌挿する頭部３０付きの締付ボルト３と、その締付ボルト３の螺子部３１に螺合して締結する締付ナット４とにより構成すること、及び、角形の座板２に形設するボルト挿通口２１を、それに挿通した締付ボルト３が座板２に対し上下に傾斜回動を自在とする上下方向の長穴状に構成することについては、前述の実施例のものと変わりない。
【００３６】
座板２は、ステンレススチール等の金属板から、左右の側辺を斜辺とする菱形に板どりして成形した板状の座板で、それの斜辺とした左右の側辺の傾斜方向は、座板２に嵌挿した締付ボルト３の螺じ締めの方向に傾斜するよう設定してあり、その傾斜角度は略４５度としてある。
【００３７】
この例における菱形に成形した座板２は、図２０にあるように装置部材ａの端部に設けた取付部１が、それの上下寸法を４０ミリ、開放口１０の開口巾を２０ミリ、内部の天井面から底面までを３７ミリに設定してある装置部材ａの取付に適応するように形成したものであり、その座板２は、板厚が１０ミリで、上下の巾寸法が取付部１後面の開放口１０の開口巾より広い２５ミリ、左右の巾寸法が、取付部１内部の天井高さに略対応する３７ミリとした形状のものに形成してある。
【００３８】
この座板２に開設する締付ボルト３挿通用のボルト挿通口２１は、図２１に示しているように、座板２の後面視において二組の対角を結ぶ二本の仮想対角線の交点位置に中心点をおき、口径の左右の巾が締付ボルト３の螺子部３１の外径寸法に略対応し、口径の上下の巾が、上辺及び底辺に対し垂直な方向に拡巾した上下方向の長穴状に形成してある。そして、この長穴状のボルト挿通口２１は、図２０にあるように、座板２の前面側に寄る部位においては、上下方向の口径が小さく、後面側に寄る部位に向け順次上下方向の口径を大きくする縦断した側面視において横向きのコーン状をなす形状に形成してある。
【００３９】
ボルト挿通口２１を上下方向に長い長穴状に形成するのは、このボルト挿通口２１に嵌挿した締付ボルト３を、該締付ボルト３の螺子部３１を手で持って上下方向に動かし、座板２の前面側に当接する頭部３０の後面部を略回動中心として、上下に傾斜回動させて座板２に対し寝かせた姿勢とするときの、締付ボルト３の動きに、ボルト挿通口２１の内壁面との干渉による制約を生ぜしめないよう自由にするためのものであり、上下方向に長い長穴状に形成してあればよいものであるが、螺子部３１を手で持って締付ボルト３を傾斜回動させるときの該締付ボルト３の動きは、頭部３０側では小さく螺子部３１側では大きくなることから、この例のように、長穴状とするボルト挿通口２１の形状を、座板２の後面側に向け次第に拡径する横向きのコーン状に形成することは、座板としての強度を保持せしめながら締付ボルト３の傾斜回動を許容するボルト挿通口２１が形設できるようになる。
【００４０】
またこの長穴状のボルト挿通口２１の中心点位置を、対角線の交点位置を占めるようにしているのは、座板２をそれに締付ボルト３を嵌挿して取付部１内に開放口１０から挿入した状態において、図２３において、２重線の矢印で示しているように、座板２を、締付ボルト３中心に螺子締めする方向である右回りに回動させたときに、前記交点中心に回動する該座板２の左右の側辺と上下の辺縁とのコーナー部分が、該座板２の上下巾の寸法と取付部１内の天井高さの寸法との差により生成される空間内を、干渉が無い自由な状態で余裕をもって回動していくようにするためである。
【００４１】
このボルト挿通口２１に嵌挿する締付ボルト３は、それの頭部３０をナット状又は円盤状とした通常の締付ボルトの形態のものである。この実施例の取付金具ｃにおける座板２は、それの板厚が、装置部材ａ後端部に設けた取付部１後面のの開放口１０の上下の開口巾の２０ミリより薄い１０ミリで、上下の辺縁間の巾寸法が取付部１内部の天井高さの３７ミリより狭い２５ミリであるから、座板２のボルト挿通口２１に嵌挿した締付ボルト３を、上下方向の長穴状に形成したボルト挿通口２１の形状を利用して、座板２に対し上下方向に傾斜回動させ、座板２の外面に沿う姿勢とし、この状態の座板２を斜めに寝かせて、開放口１０をくぐらせることにより、取付部１後面の開放口１０から取付部１内に挿入していけるようになる。そして、挿入し終えたところで、締付ボルト３の姿勢を旧に戻し、これを螺子の締め込み方向に回動させれば、締付ボルト３と共に回動する座板２が略４５度の角度量を回動したところで傾斜する左右の側辺が、取付部１内部の天井面及び底面にそれぞれ当接して装置部材ａに対し固定状態となる。
【産業上の利用可能性】
【００４２】
取付金具ｃは、取付部１と同様の構造の取付部が端部に装設してあるものであれば、機械装置の装置部材の取付けにもそのまま利用が可能である。
【図面の簡単な説明】
【００４３】
【図１】従前のルーバー取付用の取付金具の、使用状態における前面側から見た斜視図である。
【図２】同上取付金具の同上状態における後面側から見た斜視図である。
【図３】同上取付金具の座板を、それに締付ボルトを挿通して、装置部材に設けた取付部の内部に挿入した状態の、一部破断した後面図である。
【図４】同上取付金具により装置部材を取付材に組み付けた状態の縦断側面図である。
【図５】同上取付金具の座板を、装置部材に設けた取付部の後面の開放口から取付部内に挿入することが不能であることの説明図である。
【図６】同上取付金具の座板を、取付部の後面側の開放口の上下の開口巾より狭い巾に形成した例の、座板を取付部内に挿入した状態の一部破断した後面図である。
【図７】本発明手段を実施せる装置部材取付用の取付金具により、装置部材を取付材に取付けた状態の側面図である。
【図８】同上取付金具の、同上状態時の縦断側面図である。
【図９】同上取付金具の座板の後面図である。
【図１０】同上取付金具の座板の前面図である。
【図１１】同上取付金具の座板の側面図である。
【図１２】同上取付金具の座板の縦断側面図である。
【図１３】同上取付金具の締付ボルトの側面図である。
【図１４】同上取付金具の同上締付ボルトの後面図である。
【図１５】同上取付金具の同上締付ボルトの平面図である。
【図１６】同上取付金具の座板を、それに締付ボルトを嵌挿して装置部材の取付部内に挿入した状態時の後面図である。
【図１７】同上取付金具の同上状態の座板を右回りに４５度回転させた状態の後面図である。
【図１８】同上取付金具の座板のボルト挿通口に嵌挿した締付ボルトを、座板に対し上方に傾斜回動させた状態時の説明図である。
【図１９】同上の締付ボルトを座板に対し下方に傾斜回動させた状態時の説明図である。
【図２０】別の実施例の取付金具の、取付材に装置部材を取付けた状態の縦断側面図である。
【図２１】同上取付金具の、座板の後面図である。
【図２２】同上の座板の前面図である。
【図２３】同上の座板の、ボルト挿通口に締付ボルトを嵌挿して、装置部材の端部の取付部内に挿入した状態の後面図である。
【図２４】同上の座板を、４５度右回りに回動させた状態の後面図である。
【図２５】同上の座板を、それに嵌挿した締付ボルトを寝かせた姿勢として、取付部の後面側の開放口から挿入する状態時の説明図である。
【符号の説明】
【００４４】
Ｄ    左右方向の巾寸法
Ｈ    上下の高さ寸法
Ｋ    上下の開口巾
Ｔ    突起部
ａ    装置部材
ｂ    取付材
ｃ    取付金具
ｈ    高さ寸法
ｗ    凹溝
１    取付部
１０    開放口
１１    後壁
２    座板
２１    ボルト挿通口
３    締付ボルト
３０    頭部
３１    螺子部
４    締付ナット
５０    取付板部
５１    ボルト挿通穴
【図１】
0004601658.tif 000002
【図２】
0004601658.tif 000003
【図３】
0004601658.tif 000004
【図４】
0004601658.tif 000005
【図５】
0004601658.tif 000006
【図６】
0004601658.tif 000007
【図７】
0004601658.tif 000008
【図８】
0004601658.tif 000009
【図９】
0004601658.tif 000010
【図１０】
0004601658.tif 000011
【図１１】
0004601658.tif 000012
【図１２】
0004601658.tif 000013
【図１３】
0004601658.tif 000014
【図１４】
0004601658.tif 000015
【図１５】
0004601658.tif 000016
【図１６】
0004601658.tif 000017
【図１７】
0004601658.tif 000018
【図１８】
0004601658.tif 000019
【図１９】
0004601658.tif 000020
【図２０】
0004601658.tif 000021
【図２１】
0004601658.tif 000022
【図２２】
0004601658.tif 000023
【図２３】
0004601658.tif 000024
【図２４】
0004601658.tif 000025
【図２５】
0004601658.tif 000026